(57)【要約】      （修正有）【課題】容器体の底面部の存在によりドリップバッグが飲料用カップ内に沈下位置することがなく、熱湯を注いで抽出されたコーヒー飲料内にドリップバッグ内のコーヒー粉が浸漬されてしまうことがなくなり、本来の味、香り、色のコーヒー飲料を抽出することができるドリップ具を提供する。【解決手段】飲料用カップＭの開口縁部Ｍ１に載置可能な載置板材１及びコーヒー粉を封入したフィルタ兼用のドリップバッグＲを収容可能な容器体２からなり、載置板材に容器体を起立保持可能な嵌合穴部１ａが形成され、容器体の底面部に通液部が形成され、飲料用カップの開口縁部に載置した状態において開口縁部と載置板材の周縁部１ｂとの間に覗き間隙Ｇが形成されている。【選択図】図２
0003197073.tif 000002
【実用新案登録請求の範囲】
【請求項１】
飲料用カップの開口縁部に載置可能な載置板材及びコーヒー粉を封入したフィルタ兼用のドリップバッグを収容可能な容器体からなり、該載置板材に該容器体を起立保持可能な嵌合穴部が形成され、該容器体の底面部に通液部が形成され、該飲料用カップの開口縁部に載置した状態において該開口縁部と該載置板材の周縁部との間に覗き間隙が形成されていることを特徴とするドリップ具。
【請求項２】
上記載置板材は上記飲料用カップの開口縁部の直径より大きい縦寸法及び飲料用カップの開口縁部の直径より短い幅寸法の周縁部をもつ板状部材からなることを特徴とする請求項１記載のドリップ具。
【請求項３】
上記容器体の底面部に複数個の通液部が形成されていることを特徴とする請求項１又は２記載のドリップ具。
【請求項４】
上記容器体は紙材からなることを特徴とする請求項１〜３のいずれか１項に記載のドリップ具。
【考案の詳細な説明】
【技術分野】
【０００１】
本考案は例えば、ドリップバッグからコーヒー飲料を抽出する際に用いられるドリップ具に関するものである。
【背景技術】
【０００２】
従来、この種のドリップ具として、飲料用カップの開口縁部に載置可能な載置板材、コーヒー粉を封入したパッケージ兼用のフィルタ及びフィルタを収容可能な紙製の円筒状の容体からなる構造のものが知られている。
【０００３】
しかして、飲料用カップの開口縁部に開口縁部の外径より径大な載置板材を載置し、載置板材の支持穴に容体を嵌合支持し、容体内にコーヒー粉を封入したパッケージ兼用のフィルタを収容し、フィルタ内に熱湯を注いでコーヒー飲料を抽出することになり、容体は載置板材の支持穴に嵌合支持されているから、フィルタを安定的に載置させ、飲料用カップからの容体の外れによる火傷を負うなどの危険性を防ぐことになる。
【先行技術文献】
【特許文献】
【０００４】
【特許文献１】実開平３−７３３１号公報
【考案の概要】
【考案が解決しようとする課題】
【０００５】
しかしながら上記従来構造の場合、上記容体は底面部の存在しない円筒状に形成されているから、コーヒー粉を封入したパッケージ兼用のフィルタは飲料用カップ内に沈下位置し、それ故、フィルタ内のコーヒー粉は抽出液としてのコーヒー飲料内に浸漬されることになり、コーヒー粉がコーヒー飲料内に浸漬されることにより抽出された飲料用カップ内のコーヒー飲料が濃い味となったりして、本来の味、香り、色を引き出せないことがあるという不具合を有している。
【課題を解決するための手段】
【０００６】
本考案はこれらの不都合を解決することを目的とするもので、本考案のうちで、請求項１記載の考案は、飲料用カップの開口縁部に載置可能な載置板材及びコーヒー粉を封入したフィルタ兼用のドリップバッグを収容可能な容器体からなり、該載置板材に該容器体を起立保持可能な嵌合穴部が形成され、該容器体の底面部に通液部が形成され、該飲料用カップの開口縁部に載置した状態において該開口縁部と該載置板材の周縁部との間に覗き間隙が形成されていることを特徴とするドリップ具にある。
【０００７】
又、請求項２記載の考案は、上記載置板材は上記飲料用カップの開口縁部の直径より大きい縦寸法及び飲料用カップの開口縁部の直径より短い幅寸法の周縁部をもつ板状部材からなることを特徴とするものであり、又、請求項３記載の考案は、上記容器体の底面部に複数個の通液部が形成されていることを特徴とするものであり、又、請求項４記載の考案は、上記容器体は紙材からなることを特徴とするものである。
【考案の効果】
【０００８】
本考案は上述の如く、請求項１記載の考案にあっては、飲料用カップの開口縁部に載置板材を載置し、載置板材の嵌合穴部に容器体を起立保持可能に嵌合し、容器体の底面部に通液部が形成され、容器体にコーヒー粉を封入したフィルタ兼用のドリップバッグを収容し、ドリップバッグ内に熱湯を注ぎ、コーヒー飲料を抽出することになり、この際、ドリップバッグは容器体に収容されることになるから、容器体の底面部の存在によりドリップバッグが飲料用カップ内に沈下位置することがなく、熱湯を注いで抽出されたコーヒー飲料内にドリップバッグ内のコーヒー粉が浸漬されてしまうことがなくなり、本来の味、香り、色のコーヒー飲料を抽出することができ、かつ、載置板材は飲料用カップの開口縁部に載置した状態において開口縁部と載置板材の周縁部との間に覗き間隙が形成されているから、飲料用カップ内に注がれたコーヒー飲料を覗き見ることができ、注ぎ過ぎによる飲料用カップ内からの熱湯の溢出を防ぐことができ、載置板材により容器体を安定的に起立保持することができると共に飲料用カップ内からの熱湯の溢出による火傷を負うなどの危険性を未然に防ぐことができる。
【０００９】
又、請求項２記載の考案にあっては、上記載置板材は上記飲料用カップの開口縁部の直径より大きい縦寸法及び飲料用カップの開口縁部の直径より短い幅寸法の周縁部をもつ板状部材からなるので、例えば、魔法瓶の仕様により魔法瓶本体の側面から給湯口までの水平距離が比較的短い場合であっても、飲料用カップの開口縁部の直径より短い幅寸法の縁辺部を魔法瓶に近接配置することができ、これによりドリップバッグの中央部に熱湯を注ぎ入れることができ、熱湯による危険性を回避することができ、又、請求項３記載の考案にあっては、上記容器体の底面部に複数個の通液部が形成されているから、容器体の底面部からのドリップバッグの突出を防ぐことができ、熱湯を注いで抽出されたコーヒー飲料内にドリップバッグ内のコーヒー粉が浸漬されてしまうことがなくなり、本来の味、香り、色のコーヒー飲料を抽出することができ、又、請求項４記載の考案にあっては、上記容器体は紙材からなるので、容器体を半分に折り畳んで携行することができると共に廃棄も容易に行うことができ、使用の利便性を向上することができる。
【図面の簡単な説明】
【００１０】
【図１】本考案の実施の第一形態例の斜視図である。
【図２】本考案の実施の第一形態例の使用状態の斜視図である。
【図３】本考案の実施の第一形態例の使用状態の平面図である。
【図４】本考案の実施の第一形態例の使用状態の断面図である。
【図５】本考案の実施の第一形態例の使用状態の右側面図である。
【図６】本考案の実施の第一形態例の使用状態の平面図である。
【図７】本考案の実施の第二形態例の斜視図である。
【図８】本考案の実施の第二形態例の使用状態の断面図である。
【考案を実施するための形態】
【００１１】
図１乃至図８は本考案の実施の形態例を示し、図１乃至図６は第一形態例、図７乃至図８は第二形態例である。
【００１２】
図１乃至図６の第一形態例において、１は載置板材であって、木材や合成樹脂により製作され、図１、図２、図４の如く、陶磁器製や合成樹脂製の飲料用カップＭの開口縁部Ｍ１に載置可能な形状に形成されている。
【００１３】
２は容器体であって、紙材や合成樹脂により製作され、容器体２の周縁部にコーヒー粉Ｋを封入したフィルタ兼用のドリップバッグＲが吊下部Ｒ１・Ｒ１により懸架状態に収容され、、容器体２の底面部２ａには通液部２ｂが形成され、上記載置板材１に容器体２を起立保持可能な嵌合穴部１ａが形成され、飲料用カップＭの開口縁部Ｍ１に載置した状態において開口縁部Ｍ１と載置板材１の周縁部１ｂとの間に覗き間隙Ｇが形成されている。
【００１４】
この場合、図３の如く、上記載置板材１は上記飲料用カップＭの開口縁部Ｍ１の直径Ｄより大きい縦寸法Ｓ及び飲料用カップＭの開口縁部Ｍ１の直径Ｄより短い幅寸法Ｂの周縁部１ｂをもつ板状部材により形成され、又、この場合、上記容器体２の底面部２ａに複数個の通液部２ｂ・２ｂ・・が形成され、又、この場合、上記容器体２は紙材により製作されている。
【００１５】
この実施の第一形態例は上記構成であるから、図２、図４、図５の如く、飲料用カップＭの開口縁部Ｍ１に載置板材１を載置し、載置板材１の嵌合穴部１ａに容器体２を起立保持可能に嵌合し、容器体２の底面部２ａに通液部２ｂが形成され、容器体２にコーヒー粉Ｋを封入したフィルタ兼用のドリップバッグＲを収容し、ドリップバッグＲ内に熱湯を注ぎ、コーヒー飲料Ｌを抽出することになり、この際、ドリップバッグＲは容器体２に収容されることになるから、容器体２の底面部２ａの存在によりドリップバッグＲが飲料用カップＭ内に沈下位置することがなく、熱湯を注いで抽出されたコーヒー飲料Ｌ内にドリップバッグＲ内のコーヒー粉Ｋが浸漬されてしまうことがなくなり、本来の味、香り、色のコーヒー飲料Ｌを抽出することができ、かつ、飲料用カップＭの開口縁部Ｍ１に載置した状態において開口縁部Ｍ１と載置板材１の周縁部１ｂとの間に覗き間隙Ｇが形成されているから、飲料用カップＭ内に注がれたコーヒー飲料Ｌを覗き見ることができ、注ぎ過ぎによる飲料用カップＭ内からの熱湯の溢出を防ぐことができ、載置板材１により容器体２を安定的に起立保持することができると共に飲料用カップＭ内からの熱湯の溢出による火傷を負うなどの危険性を未然に防ぐことができる。
【００１６】
又、この場合、図１、図３、図５、図６の如く、上記載置板材１は上記飲料用カップＭの開口縁部Ｍ１の直径Ｄより大きい縦寸法Ｓ及び飲料用カップＭの開口縁部Ｍ１の直径Ｄより短い幅寸法Ｂの周縁部１ｂをもつ板状部材からなるので、例えば、魔法瓶Ｆの仕様により魔法瓶本体の側面から給湯口Ｆ１までの水平距離Ｅが比較的短い場合であっても、飲料用カップＭの開口縁部Ｍ１の直径Ｄより短い幅寸法Ｂの周縁部１ｂを魔法瓶Ｆに近接配置することができ、これによりドリップバッグＲの中央部に熱湯を注ぎ入れることができ、熱湯による危険性を回避することができ、又、この場合、上記容器体２の底面部２ａに複数個の通液部２ｂ・２ｂ・・が形成されているから、容器体２の底面部２ａからのドリップバッグＲの突出を防ぐことができ、熱湯を注いで抽出されたコーヒー飲料Ｌ内にドリップバッグＲ内のコーヒー粉Ｋが浸漬されてしまうことがなくなり、本来の味、香り、色のコーヒー飲料Ｌを抽出することができ、又、この場合、上記容器体２は紙材からなるので、容器体２を半分に折り畳んで携行することができると共に廃棄も容易に行うことができ、使用の利便性を向上することができる。
【００１７】
図７、図８の第二形態例は別例構造を示し、この場合、上記容器体２に扁平状のフィルタＱを三角筒状に拡開して収容し、フィルタＱにコーヒー粉Ｋを収容し、フィルタＱ内に熱湯を注ぎ、コーヒー飲料Ｌを抽出するようにしている。
【００１８】
この第二形態例にあっても、上記第一形態例と同様、容器体２の底面部２ａの存在によりフィルタＱが飲料用カップＭ内に沈下位置することがなく、熱湯を注いで抽出されたコーヒー飲料Ｌ内にフィルタＱ内のコーヒー粉Ｋが浸漬されてしまうことがなくなり、本来の味、香り、色のコーヒー飲料Ｌを抽出することができ、かつ、飲料用カップＭの開口縁部Ｍ１に載置した状態において開口縁部Ｍ１と載置板材１の周縁部１ｂとの間に覗き間隙Ｇが形成されているから、飲料用カップＭ内に注がれたコーヒー飲料Ｌを覗き見ることができ、注ぎ過ぎによる飲料用カップＭ内からの熱湯の溢出を防ぐことができ、載置板材１により容器体２を安定的に起立保持することができると共に飲料用カップＭ内からの熱湯の溢出による火傷を負うなどの危険性を未然に防ぐことができる。
【００１９】
尚、本考案は上記実施の形態例に限られるものではなく、載置板材１及び容器体２の材質や通液部２ｂの形状等は適宜選択して設計される。
【００２０】
以上、所期の目的を充分達成することができる。
【符号の説明】
【００２１】
Ｍ    飲料用カップ
Ｍ１    開口縁部
Ｇ    覗き間隙
Ｄ    直径
Ｓ    縦寸法
Ｂ    幅寸法
Ｋ    コーヒー粉
Ｒ    ドリップバッグ
Ｑ    フィルタ
１    載置板材
１ａ    嵌合穴部
１ｂ    周縁部
２    容器体
２ａ    底面部
２ｂ    通液部
【図１】
0003197073.tif 000003
【図２】
0003197073.tif 000004
【図３】
0003197073.tif 000005
【図４】
0003197073.tif 000006
【図５】
0003197073.tif 000007
【図６】
0003197073.tif 000008
【図７】
0003197073.tif 000009
【図８】
0003197073.tif 000010